(57)【要約】【課題】列盤された箱体において、隣接する箱体の正面扉を開いても当該箱体内の保守点検を容易に行うことのできる金属閉鎖形スイッチギヤを提供する。【解決手段】列盤された複数の箱体１ａ、１ｂ、１ｃの正面側にそれぞれ設けられた正面側部材を有する金属閉鎖形スイッチギヤであって、正面側部材は、開閉自在の正面扉３ａ、３ｂ、３ｃと、正面扉３ａ、３ｂ、３ｃを移動自在に移動させるとともに、箱体１ａ、１ｂ、１ｃ内の奥行き方向に設けられた一対のガイドレール１１ａ、１１ｂ、１１ｃとを具備したことを特徴とし、正面側の開放時には正面扉３ａ、３ｂ、３ｃを箱体１ａ、１ｂ、１ｃ内に収納する。【選択図】  図１
2012095440.tif 000002
【特許請求の範囲】
【請求項１】
列盤された複数の箱体の正面側にそれぞれ設けられた正面側部材を有する金属閉鎖形スイッチギヤであって、
前記正面側部材は、開閉自在の正面扉と、
前記正面扉を移動自在に移動させるとともに、前記箱体内に設けられた一対のガイドレールと、
を具備したことを特徴とする金属閉鎖形スイッチギヤ。
【請求項２】
前記正面扉を左右方向に開閉し、
前記一対のガイドレールを前記箱体の上下方向に設けたことを特徴とする請求項１に記載の金属閉鎖形スイッチギヤ。
【請求項３】
前記正面扉を上下方向に開閉し、
前記一対のガイドレールを前記箱体の左右方向に設けたことを特徴とする請求項１に記載の金属閉鎖形スイッチギヤ。
【請求項４】
前記正面扉を二分割し、前記一対のガイドレールをそれぞれ設けたことを特徴とする請求項１乃至請求項３のいずれか１項に記載の金属閉鎖形スイッチギヤ。
【請求項５】
前記二分割した正面扉を更に二分割し、ヒンジで連結したことを特徴とする請求項４に記載の金属閉鎖形スイッチギヤ。
【発明の詳細な説明】
【技術分野】
【０００１】
本発明の実施形態は、保守点検を容易とし得る列盤される金属閉鎖形スイッチギヤに関する。
【背景技術】
【０００２】
従来、金属閉鎖形スイッチギヤにおいては、図４に示すように、遮断器や断路器などの収納機器を機能単位で収納した複数の箱体１ａ、１ｂ、１ｃが列盤され電源系統が構成されている。複数の箱体１ａ、１ｂ、１ｃは、架台２に一列配置で固定され、正面側にそれぞれ開閉自在の正面扉３ａ、３ｂ、３ｃが設けられている。正面扉３ａ、３ｂ、３ｃには、一側辺に一方が箱体１ａ、１ｂ、１ｃ側に固定された回動自在のヒンジ４ａ、４ｂ、４ｃが固定され、他側辺にハンドル５ａ、５ｂ、５ｃが設けられている（例えば、特許文献１参照。）。
【先行技術文献】
【特許文献】
【０００３】
【特許文献１】特開２００９−１７６１１号公報
【発明の概要】
【発明が解決しようとする課題】
【０００４】
上記の従来の金属閉鎖形スイッチギヤにおいては、次のような問題がある。  
保守点検時には、ヒンジ４ａ、４ｂ、４ｃを支点として正面扉３ａ、３ｂ、３ｃを開き、例えば収納機器の遮断器では動作回数や潤滑油の点検が行われる。開く角度θは、収納機器が容易に確認できるように、θ＝９０度以上の例えば約１３５度が採用されており、その角度で固定される。
【０００５】
しかしながら、全ての正面扉３ａ、３ｂ、３ｃを開けると、図示右端の箱体１ｃを除く左端と中間の箱体１ａ、１ｂでは、隣接する箱体１ｂ、１ｃの正面扉１ｂ、１ｃが邪魔になり、内部の確認がし難くなる。このため、隣接する正面扉１ｂ、１ｃの開ける角度θを９０度以下に仮固定したり、一旦、閉じたりしなくてはならなかった。
【０００６】
本発明は上記問題を解決するためになされたもので、列盤された箱体の正面扉の全てを開いても収納機器の保守点検を容易に行うことのできる金属閉鎖形スイッチギヤを提供することを目的とする。
【課題を解決するための手段】
【０００７】
上記目的を達成するために、実施形態の金属閉鎖形スイッチギヤは、列盤された複数の箱体の正面側にそれぞれ設けられた正面側部材を有する金属閉鎖形スイッチギヤであって、前記正面側部材は、開閉自在の正面扉と、前記正面扉を移動自在に移動させるとともに、前記箱体内に設けられた一対のガイドレールと、を具備したことを特徴とする。
【図面の簡単な説明】
【０００８】
【図１】本発明の実施例１に係る金属閉鎖形スイッチギヤの構成を示す斜視図。
【図２】本発明の実施例２に係る金属閉鎖形スイッチギヤの構成を示す要部斜視図。
【図３】本発明の実施例３に係る金属閉鎖形スイッチギヤの構成を示す要部斜視図。
【図４】従来の金属閉鎖形スイッチギヤの構成を示す斜視図。
【発明を実施するための形態】
【０００９】
本実施形態は、開いた正面扉を箱体内に収納することにある。以下、図面を参照して本発明の実施例を説明する。
【実施例１】
【００１０】
先ず、本発明の実施例１に係る金属閉鎖形スイッチギヤを図１を参照して説明する。図１は、本発明の実施例１に係る金属閉鎖形スイッチギヤの構成を示す斜視図である。なお、図１において、従来と同様の構成部分については、同一符号を付した。
【００１１】
図１に示すように、架台２には、遮断器や断路器などの収納機器を機能単位で収納した複数の箱体１ａ、１ｂ、１ｃが一列配置で固定され、列盤されている。複数の箱体１ａ、１ｂ、１ｃの正面側には、それぞれ開閉自在の正面扉３ａ、３ｂ、３ｃが設けられている。
【００１２】
正面扉３ａ、３ｂ、３ｃの一側辺には、正面扉３ａ、３ｂ、３ｃに回転自在に固定され、上下方向に僅かに突出した回転棒１０ａ、１０ｂ、１０ｃが固定されている。突出した部分は、上下方向に配置されたコ字状の一対のガイドレール１１ａ、１１ｂ、１１ｃ内に収納されている。また、ガイドレール１１ａ、１１ｂ、１１ｃは、正面側から背面側の奥行き方向の天井側と床側に設けられている。正面扉３ａ、３ｂ、３ｃの他側辺には、ハンドル５ａ、５ｂ、５ｃが設けられている。
【００１３】
次に、正面扉３ａ、３ｂ、３ｃの開閉操作について説明する。なお、図示左端の箱体１ａは正面扉３ａを９０度開いた状態、中間の箱体１ｂは収納途中の状態、右端の箱体１ｃは閉じた状態を示す。
【００１４】
先ず、箱体１ａのように、ハンドル５ａを持って正面扉３ａを側面板と平行になるように約９０度開く。即ち、正面扉３ａを左右方向に開く。この場合、例えば、ガイドレール１１ａ内の端部に凹部を設け、回転棒１０ａの両端にバネなどで押出されるように付勢された進退自在の球状の突出部を設ければ、凹部に突出部が嵌合し、これを支点として容易に回転させることができる。
【００１５】
次に、箱体１ｂのように、ガイドレール１１ｂに沿って、正面扉３ｂを背面側に押込めば、箱体１ｂの正面側を開放することができる。回転棒１０ａ両端の突出部は、凹部から外れガイドレール１１ｂ内を移動する。正面扉３ｂの上下端部もガイドレール１１ｂ内を移動する。なお、閉じる場合には、この逆手順によって行う。
【００１６】
ここで、回転棒１０ａ、１０ｂ、１０ｃを含めた正面扉３ａ、３ｂ、３ｃと、この正面扉３ａ、３ｂ、３ｃを箱体１ａ、１ｂ、１ｃ内に収納する一対のガイドレール１１ａ、１１ｂ、１１ｃとを正面側を開閉自在に開閉する正面側部材と定義する。
【００１７】
上記実施例１の金属閉鎖形スイッチギヤによれば、正面扉３ａ、３ｂ、３ｃを側面板と略平行まで開き、箱体１ａ、１ｂ、１ｃ内に設けた一対のガイドレール１１ａ、１１ｂ、１１ｃに沿って収納するようにしているので、全ての正面扉３ａ、３ｂ、３ｃを開放しても、隣接する正面扉３ａ、３ｂ、３ｃに邪魔をされることなく開放でき、収納機器の保守点検を容易とすることができる。
【実施例２】
【００１８】
次に、本発明の実施例２に係る金属閉鎖形スイッチギヤを図２を参照して説明する。図２は、本発明の実施例２に係る金属閉鎖形スイッチギヤの構成を示す要部斜視図である。なお、この実施例２が実施例１と異なる点は、正面扉を二分割したことである。図２において、実施例１と同様の構成部分においては、同一符号を付し、その詳細な説明を省略する。箱体は、単盤で示す。
【００１９】
図２（ａ）に示すように、正面側を図示上部の第１の正面扉１２ａと図示下部の第２の正面扉１２ｂに二分割している。それぞれの正面扉１２ａ、１２ｂの図示上部には、左右方向に配置されたコ字状の一対のガイドレール１３ａ、１３ｂが設けられている。ハンドル５ａは、正面扉１２ａ、１２ｂの図示下部に設けられている。
【００２０】
第１の正面扉１２ａを開くときには、図２（ｂ）に示すように、ハンドル５ａを持って、第１の正面扉１２ａを天井板と水平になるように約９０度開く。即ち、第１の正面扉１２ａを上下方向に開く。そして、図２（ｃ）に示すように、第１の正面扉１２ａを一対のガイドレール１３ａに沿って収納する。第２の正面扉１２ｂも同様である。このような二分割した正面扉１２ａ、１２ｂは、二段積みに適するものとなる。
【００２１】
上記実施例２の金属閉鎖形スイッチギヤによれば、実施例１による効果のほかに、二段積みの箱体１ａに適するものとなる。
【実施例３】
【００２２】
次に、本発明の実施例３に係る金属閉鎖形スイッチギヤを図３を参照して説明する。図３は、本発明の実施例３に係る金属閉鎖形スイッチギヤの構成を示す要部斜視図である。なお、この実施例３が実施例２と異なる点は、正面扉を更に二分割したことである。図３において、実施例２と同様の構成部分においては、同一符号を付し、その詳細な説明を省略する。箱体は、単盤で示す。
【００２３】
図３（ａ）に示すように、第１の正面扉１２ａを図示上下の第１の上部正面扉１２ａ１と第１の下部正面扉１２ａ２に二分割し、これらをヒンジ１４ａで連結している。第２の正面扉１２ｂも同様に、図示上下の第２の上部正面扉１２ｂ１と第２の下部正面扉１２ｂ２に二分割し、これらをヒンジ１４ｂで連結している。
【００２４】
第１の正面扉１２ａを開くときには、図３（ｂ）に示すように、ハンドル５ａを持って、ヒンジ１４ａ部分を折りたたむとともに、天井板と水平になるまで開く。そして、図３（ｃ）に示すように、折りたたんだ状態を保って、一対のガイドレール１３ａに沿って収納する。第２の正面扉１２ｂも同様である。
【００２５】
上記実施例３の金属閉鎖形スイッチギヤによれば、実施例２による効果のほかに、正面扉１２ａ、１２ｂを収納する移動距離を短くすることができる。
【００２６】
以上述べたような実施形態によれば、列盤された箱体の正面側を開くとき、正面扉を箱体内に収納するようにしているので、隣接する正面扉に邪魔をされることなく開放でき、収納機器の保守点検を容易とすることができる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、および変更を行うことができる。これら実施形態やその変形は、発明の範囲や要旨に含まれるとともに、特許請求の範囲に記載された発明とその均等の範囲に含まれる。
【符号の説明】
【００２８】
１ａ、１ｂ、１ｃ  箱体
２  架台
３ａ、３ｂ、３ｃ、１２ａ、１２ａ１、１２ａ２、１２ｂ、１２ｂ１、１２ｂ２  正面扉
４ａ、４ｂ、４ｃ、１４ａ、１４ｂ  ヒンジ
５ａ、５ｂ、５ｃ  ハンドル
１０ａ、１０ｂ、１０ｃ  回転棒
１１ａ、１１ｂ、１１ｃ、１３ａ、１３ｂ  ガイドレール
【図１】
2012095440.tif 000003
【図２】
2012095440.tif 000004
【図３】
2012095440.tif 000005
【図４】
2012095440.tif 000006